(57)【要約】【課題】  ラベルを有効に活用することができるラベル付き飲料容器を提供する。【解決手段】  ラベル付き飲料容器は、飲料を収容する飲料容器と、飲料容器の側面に取り外し可能に取り付けられ、遊具として利用するための利用情報または場所を案内するための案内情報が印刷された第１の部分１４と、遊具として利用され、または所定の情報が印刷され、案内先で利用可能な第２の部分１５とを有し、第１の部分１４と第２の部分１５との間に切り取り線１６が設けられたラベル１３とを含む。【選択図】  図２
0003212361.tif 000002
【実用新案登録請求の範囲】
【請求項１】
飲料を収容する飲料容器と、
前記飲料容器の側面に取り外し可能に取り付けられ、遊具として利用するための利用情報または場所を案内するための案内情報が印刷された第１の部分と、前記遊具として利用され、または所定の情報が印刷され、案内先で利用可能な第２の部分とを有し、前記第１の部分と前記第２の部分との間に切り取り線が設けられたラベルとを含む、ラベル付き飲料容器。
【請求項２】
前記ラベルは、前記第２の部分内に複数の切り取り線が設けられる、請求項１に記載のラベル付き飲料容器。
【請求項３】
前記ラベルは、前記第２の部分が二重に形成されて袋を構成し、前記袋内に前記遊具として利用するための紙が収納される、請求項１に記載のラベル付き飲料容器。
【請求項４】
前記紙は、折り紙または立体模型を作るための紙である、請求項３に記載のラベル付き飲料容器。
【考案の詳細な説明】
【技術分野】
【０００１】
本考案は、飲料容器の側面にラベルが取り付けられた飲料容器に関する。
【背景技術】
【０００２】
水、お茶、スポーツドリンク、炭酸飲料等の飲料容器として、ペットボトルが普及している。ペットボトルは、ボトル本体と、キャップとから構成され、ボトル本体への直接印刷が禁止されているため、商品名、原材料名、内容量、保存方法、製造者等の表示は、それらを印刷したラベルをボトル本体に取り付けることにより行っている。
【０００３】
従来、ラベルを有効に利用するために、必要な表示部分以外のスペースに広告やQRコード（登録商標）が印刷されたラベルが提案されている（例えば、特許文献１参照）。
【先行技術文献】
【特許文献】
【０００４】
【特許文献１】特開２００６−２９０４５２号公報
【考案の概要】
【考案が解決しようとする課題】
【０００５】
しかしながら、従来のラベル付きペットボトルでは、飲料を飲み終わると、ラベルがペットボトルやキャップとともに廃棄されてしまうため、ラベルが有効に活用されることはなかった。
【０００６】
本考案は、上記の問題に鑑みてなされたものであって、ラベルを有効に活用することができるラベル付き飲料容器を提供することを目的とする。
【課題を解決するための手段】
【０００７】
上述した課題を解決するために、考案の一実施形態では、
飲料を収容する飲料容器と、
飲料容器の側面に取り外し可能に取り付けられ、遊具として利用するための利用情報または場所を案内するための案内情報が印刷された第１の部分と、遊具として利用され、または所定の情報が印刷され、案内先で利用可能な第２の部分とを有し、第１の部分と第２の部分との間に切り取り線が設けられたラベルとを含む、ラベル付き飲料容器を提供する。
【考案の効果】
【０００８】
本考案によれば、ラベルを有効に活用することができる。
【図面の簡単な説明】
【０００９】
【図１】ラベル付き飲料容器の１つの構成例を示した正面図。
【図２】図１に示す飲料容器から取り外したラベルを広げた図。
【図３】ラベル付き飲料容器の別の構成例を示した正面図。
【図４】図３に示す飲料容器から取り外したラベルを広げた図。
【図５】ラベルの別の構成例を示した図。
【考案を実施するための形態】
【００１０】
以下、本考案のラベル付き飲料容器を、図面を参照して詳細に説明するが、これらは例示的に示した実施形態であり、本考案はこれらの実施形態に限定されるものではなく、本考案の作用・効果を奏する限り、本考案の範囲に含まれるものである。
【００１１】
図１は、ラベル付き飲料容器の１つの構成例を示した正面図である。ラベル付き飲料容器１０は、例えばラベル付きペットボトルで、水、お茶、スポーツドリンク、炭酸飲料、コーヒー飲料等の飲料を収容するボトル本体１１と、キャップ１２と、ラベル１３とを含む。
【００１２】
ボトル本体１１は、ポリエチレンテレフタレート(PET)を材料とした所定の形状、大きさの容器で、射出成形機等を使用して成形される。ボトル本体１１は、飲料を収容する収容部の断面が略円形もしくは略矩形の中空の容器で、収容部から頂部に向けてテーパが形成され、頂部には、収容部の径もしくは幅に比較して径が小さい中空円筒形の開口を有するボトル口部を備えている。ボトル口部の外周には、キャップ１２を螺合するためにねじ山が設けられている。
【００１３】
キャップ１２は、密封性を得るために、軟らかいポリプロピレン(PP)やポリエチレン(PE)等を使用して成形され、キャップ１２の内側には、ボトル口部に螺合するためのねじ溝が設けられている。
【００１４】
ラベル１３は、PE、PET、ポリスチレン(PS)等を材料としたシート状物で、ボトル本体１１の側面に取り外し可能に取り付けられる。ラベル１３は、接着剤や粘着剤等により貼付するものであってもよいが、ラベル１３を取り外して活用することを考えると、ボトル本体１１の周囲を包むような方法で固定するものが望ましい。
【００１５】
包むような方法で固定するラベルとしては、シュリンクラベル、ロールラベル、ストレッチラベルを挙げることができる。シュリンクラベルは、ボトル本体１１に装着した後、熱を加えて熱収縮させて固定したラベルである。ロールラベルは、ボトル本体１１の側面を一周させ、端部同士を糊等で接着し、剥がし口を設けたラベルである。ストレッチラベルは、自己伸縮性をもつPEフィルムを使用して、ボトル本体１１の側面の周囲の長さより短く輪を形成し、その輪を引き伸ばしながらボトル本体１１を通し、ボトル本体１１の側面に装着させるラベルである。
【００１６】
図２を参照して、ラベル１３に印刷される内容について説明する。ラベル１３は、場所を案内するための案内情報が印刷された第１の部分１４と、所定の情報が印刷され、案内先で利用可能な第２の部分１５とを有し、第１の部分１４と第２の部分１５との間に切り取り線１６が設けられたラベルである。
【００１７】
図２に示す例では、案内情報として、観光地のバス路線図、バスのルートおよび各バス停における観光地情報、バス会社および観光局が提供する詳細なバス情報および観光地情報へアクセスするためのQRコード（登録商標）が含まれている。案内情報は、海外からの観光客に対してもその情報を提供するべく、少なくなくとも１つの言語で記載され、印刷される。言語は、２以上であってもよく、例えば日本語、英語といった２カ国語の言語であってもよいし、日本語、英語、中国語といった３カ国語以上の言語であってもよい。なお、２以上の言語で記載する場合は、上下や左右等のすぐ近くに並べて記載することにより、１の言語に対応する他の言語であることを認識させることができる。
【００１８】
観光地情報は、各バス停に近隣する観光名所に関する情報であり、主要な神社、寺、城、庭園、美術館、博物館、公園、建造物等の場所の住所、バス停からその場所までの距離や時間、入場料、歴史や見所等の簡単な説明等を含むことができる。なお、これらの情報は一例であるので、ここで記載した情報に限定されるものではない。
【００１９】
QRコード（登録商標）は、観光客等が所持するスマートフォン等の携帯端末により読み取られ、バス情報や観光地情報が記憶されるサーバの所在地を示すURL(Uniform Resource Locator)に変換される。携帯端末は、変換したURLにアクセスし、サーバが保持するバス情報や観光地情報を取得し、画面に表示する。画面に表示されるバス情報としては、その他な路線図、運賃、所要時間、時刻表、バスの利用方法、運行状況等の情報を含むことができる。画面に表示される観光地情報としては、詳細な歴史や名所に関する説明、近隣の店、土産、その他の名所に関する情報、口コミ情報等を含むことができる。これらの情報も一例であるので、ここで記載した情報に限定されるものではない。
【００２０】
案内情報は、ラベル１３の第１の部分１４に印刷されるが、第１の部分には、そのほか、飲料を提供するメーカー名、飲料名、製造者名、成分、バーコード等を含むことができる。バーコードは、国、メーカー、商品を識別するための識別情報を含む。
【００２１】
ラベル１３は、第２の部分１５を有し、第１の部分１４と第２の部分１５との間に切り取り線１６が設けられる。切り取り線１６は、小穴が一定間隔で連続したもので、ミシン目とも呼ばれる。切り取り線１６は、略円形の小穴が狭い間隔で数多く設けられ、作業性を重視した切り取り易いものが望ましい。
【００２２】
第２の部分１５は、所定の情報が印刷され、切り取り線１６で切り取って使用される。図２に示す例では、金額や割引等の情報が印刷され、切り離しできる金券もしくは割引券を表すクーポンとされている。
【００２３】
第２の部分１５は、クーポンとして利用するものに限定されるものではなく、入場券、入園券、入館券、飲食等のサービス券、１日乗車券、周遊券、商品等との引換券、スポーツ施設等の利用券、抽選券等として利用するものであってもよい。
【００２４】
案内情報には、観光地の習慣、方言、海外からの観光客のための会話集、日本のマナー、トイレ情報等を含むことができる。
【００２５】
また、ラベル付き飲料容器を用いた飲料を提供する場所としては、観光地に限られるものではなく、遊園地、キャンプ場、リゾート施設、ホテル、温泉等のレジャー施設等であってもよい。レジャー施設の場合、第１の部分１４には、バス路線図等に代えて、施設の案内図、アクセス情報、利用案内、周辺観光情報、これらに関連する詳細な情報へアクセスするためのQRコード（登録商標）を含むことができる。
【００２６】
第２の部分１５には、レジャー施設で利用可能な情報が印刷され、第２の部分１５を切り取り線１６に沿って切り取ることで、クーポン、入場券、入園券、サービス券、引換券、利用券、抽選券等として利用することができる。
【００２７】
図３は、ラベル付き飲料容器の別の構成例を示した正面図である。図３に示す例では、ラベル１３が、遊具として利用するための利用情報が２以上の言語で印刷された第１の部分１４と、遊具として利用される第２の部分１５とを有し、第１の部分１４と第２の部分１５との間に切り取り線１６が設けられたラベルとされている。
【００２８】
図４を参照して詳細に説明する。ラベル１３の第１の部分１４には、遊具としての折り紙の利用情報として、折り方の説明が印刷されている。図４に示す例では、鶴の折り方の説明が折り図とともに印刷されている。
【００２９】
第２の部分１５は、正方形とされ、切り取り線１６で切り取ることにより折り紙として利用することができるようになっている。第２の部分１５は、任意の色（例えば赤）が付されている。なお、異なる色（例えば青）の鶴を折ることができるように、裏面に異なる色を付すことができる。
【００３０】
折り紙の色は、１色に限定されるものではなく、２色以上であってもよく、また、折り紙は、模様があってもよい。
【００３１】
遊具は、折り紙に限定されるものではなく、ペーパークラフトのような、第２の部分１５内に複数の切り取り線を設け、切り取った複数のパーツを組み立てて立体を作る立体模型であってもよいし、切り取った複数のパーツを並べ替えて１つの絵を完成させるジグソーパズルであってもよい。ジグソーパズルの場合、第１の部分１４には、完成図を記載することができる。
【００３２】
図５は、ラベル１３の別の例を示した図である。図５（ａ）は、平面図、図５（ｂ）は、切断線A-Aで切断した断面図を示す。図５に示す例では、ラベル１３の一部が二重に形成されて袋１７を構成し、袋１７内に紙１８が収納されている。ラベル１３の一部が二重に形成され、袋１７を構成した部分が第２の部分１５に相当し、その他の部分が第１の部分１４に相当する。第１の部分１４と第２の部分との間の二重に形成された端部に切り取り線１６が設けられ、切り取り線１６に沿って切り取ることで、内部に収納された紙１８を取り出すことができる。
【００３３】
切り取り線１６の位置は、ラベル１３が一枚の部分と二重の部分の境目であってもよいし、図５（ａ）に示すような、その境目に近い二重に形成された端部であってもよい。二重に形成された端部にある場合、切り取り線１６は、その一方にのみ設けられていてもよいし、両方に設けられていてもよい。
【００３４】
紙１８は、上記の折り紙であってもよいし、立体模型を作るためのペーパークラフト用の紙で、複数の切り取り線が設けられたものであってもよい。
【００３５】
なお、ラベル１３の一方の面に一端が開口した袋１７を取り付け、袋１７に紙１８を収納したものであってもよいが、開口したままでは、水滴等が入りやすく、紙１８が濡れて使用できない状態になるので、上記のような使用前に開封する構造のものが望ましい。
【００３６】
案内情報または利用情報は、第１の部分１４の一方の面である表面のみに限られるものではなく、他方の面である裏面にも記載されていてもよい。その際、「裏面にも情報があるよ。」等の裏面を見るように促すコメントを表面に記載することができる。
【００３７】
クーポン等も、第２の部分１５の表面のみに限られるものではなく、裏面にも記載され、２種類のクーポン等として利用することができるようになっていてもよい。また、切り取り線１６を２以上設け、２以上のクーポン等として利用することができるようになっていてもよい。袋１７に収納される紙１８も、一枚に限られるものではなく、２枚以上であってもよい。
【００３８】
袋１７には、遊具のほかに、地図、アンケート用紙、応募券、メモ用紙等を収納してもよく、袋１７を２以上設け、おしぼり等を別途収納してもよい。
【００３９】
これまで本考案をラベル付き飲料容器として上述した実施の形態をもって説明してきた。しかしながら、本考案は上述した実施の形態に限定されるものではなく、他の実施の形態、追加、変更、削除など、当業者が想到することができる範囲内で変更することができるものである。また、いずれの態様においても本考案の作用・効果を奏する限り、本考案の範囲に含まれるものである。
【符号の説明】
【００４０】
１０…ラベル付き飲料容器
１１…ボトル本体
１２…キャップ
１３…ラベル
１４…第１の部分
１５…第２の部分
１６…切り取り線
１７…袋
１８…紙
【図１】
0003212361.tif 000003
【図２】
0003212361.tif 000004
【図３】
0003212361.tif 000005
【図４】
0003212361.tif 000006
【図５】
0003212361.tif 000007